(57)【要約】【課題】安全スイッチの取付位置がずれることがなくなり、操作キーをキー挿入口に入れようとした場合に、操作キーがヘッドケースに衝突するといった不具合を防止する。【解決手段】スイッチ本体１の周部に背面側スペーサ取付部１０と側面側スペーサ取付部１１を設け、背面側スペーサ取付部１０と側面側スペーサ取付部１１の何れか一方と固定枠Ｂとの間の空間Ｃにスペーサ部材１３を介在させ、スイッチ本体１とスペーサ部材１３とを取付用ねじ部材２０で共締めしてスイッチ本体１を固定枠Ｂに取付けて、取付用ねじ部材２０をスペーサ部材１３で支持するようにした。【選択図】図６
2008218288.tif 000002
【特許請求の範囲】
【請求項１】
電源回路のオン・オフを司るスイッチング手段と、操作キーの挿抜により前記スイッチング手段の接点切換動作を行なわせる接点切換手段が収容されたスイッチ本体を有する安全スイッチであって、
前記スイッチ本体の筐体周部に取付用ねじ部材が挿通されるねじ挿通孔を有する取付部を設け、この取付部と前記スイッチの設置面との間の空間にスペーサ部材を介在させ、前記スイッチ本体と前記スペーサ部材とを前記取付用ねじ部材で共締めして前記設置面に取付けて、前記取付用ねじ部材の一部を前記スペーサ部材で支持するようにしたことを特徴とする安全スイッチ。
【請求項２】
前記スイッチ本体は、前記取付用ねじ部材の挿通方向に直交する筐体両側面のどちらか一方を当該スイッチ本体の設置面との当接面に選択できる構造であり、前記スペーサ部材は前記当接面側にある前記取付部と前記設置面との間の空間に選択的に設けられることを特徴とする請求項１に記載の安全スイッチ。
【請求項３】
前記取付部は、前記スイッチ本体の周部に設けた凹溝部に設けられ、前記スペーサ部材は、その取付時に前記スイッチ側ねじ挿通孔に合致するスペーサ側ねじ挿通孔を有していて、前記取付用ねじ部材が前記スイッチ側ねじ挿通孔と前記スペーサ側ねじ挿通孔を挿通するようにしたことを特徴とする請求項１又は請求項２に記載の安全スイッチ。
【請求項４】
前記スペーサ部材は、前記スイッチ本体に仮止めされる仮止め手段を備えることを特徴とする請求項１乃至請求項３の何れか一に記載の安全スイッチ。
【請求項５】
前記取付部は、隣り合う前記ねじ挿通孔形成部の端面部で嵌合凹部を形成しており、前記スペーサ部材は、前記凹溝部に挿入される連結部を有し、この連結部の両端部に前記嵌合凹部に嵌合される嵌合凸部を設け、これらの嵌合凸部に前記スペーサ側ねじ挿通孔を形成し、前記嵌合凸部の互い対向する対向面部にスペーサ挿抜方向に沿う突起部を突設して構成してあり、前記スペーサ部材の前記取付部への挿入時に、前記突起部で前記ねじ挿通孔形成部を挟持させて前記仮止め手段を構成するようにしたことを特徴とする請求項４に記載の安全スイッチ。
【請求項６】
前記取付部は、隣り合う前記ねじ挿通孔形成部の端面部で嵌合凹部を形成しており、前記スペーサ部材は、前記凹溝部に挿入される連結部を有し、この連結部の両端部に前記嵌合凹部に嵌合される嵌合凸部を設け、これらの嵌合凸部に前記スペーサ側ねじ挿通孔を形成し、前記嵌合凸部の端面部に、前記連結部とは反対側に脚片部を突設し、これらの脚片部に前記ねじ挿通孔形成部に係脱可能に係止する係止爪部を形成して構成してあり、前記スペーサ部材の前記取付部への挿入時に、前記係止爪部を前記ねじ挿通孔形成部に係脱可能に係止させて前記仮止め手段を構成するようにしたことを特徴とする請求項４に記載の安全スイッチ。
【請求項７】
前記スペーサ部材は、当該スペーサ部材が前記取付部から外された状態で前記スイッチ本体に連係されていることを特徴とする請求項３に記載の安全スイッチ。
【請求項８】
前記取付部は、隣り合う前記ねじ挿通孔形成部の端面部で嵌合凹部を形成し、前記凹溝部に、当該凹溝部に沿うスライドガイド溝部を設け、前記スペーサ部材は、前記凹溝部に挿入される連結部を有し、この連結部の両端部に前記嵌合凹部に嵌合される嵌合凸部を設け、これらの嵌合凸部に前記スペーサ側ねじ挿通孔を形成し、前記嵌合凸部の端面部に、前記連結部とは反対側に脚片部を突設すると共に、前記脚片部の一方にスペーサ挿抜方向とは直交する方向にスライドガイドを突設して構成してあり、前記スペーサ部材は、前記スライドガイドを前記スライドガイド溝部に挿入して、前記スイッチ本体に連係されていることを特徴とする請求項７に記載の安全スイッチ。
【請求項９】
取付用ねじ部材の挿通方向に直交する筐体両側面のどちらか一方を当該スイッチ本体の設置面との当接面に選択できる構造を有するスイッチ本体における、前記当接面側に設けた取付部と前記設置面との間の空間に選択的に設けられるスペーサ部材であって、スペーサ本体を備え、このスペーサ本体に前記取付用ねじ部材が挿通されるスペーサ側ねじ挿通孔を設けたことを特徴とするスペーサ部材。
【請求項１０】
前記取付部は、前記スイッチ本体の周部に設けた凹溝部の互いに向い合う部位に、前記取付用ねじ部材が挿通されるスイッチ側ねじ挿通孔を有するねじ挿通孔形成部を設けると共に、隣り合う前記ねじ挿通孔形成部の端面部で嵌合凹部を形成しており、前記スペーサ本体は、前記凹溝部に挿入される連結部を有し、この連結部の両端部に前記嵌合凹部に嵌合される嵌合凸部を設け、これらの嵌合凸部に前記スペーサ側ねじ挿通孔を形成して構成してあり、前記嵌合凸部の互い対向する対向面部にスペーサ挿抜方向に沿う突起部を突設し、前記スペーサ部材の前記取付部への挿入時に、前記突起部で前記ねじ挿通孔形成部を挟持させて仮止め手段を構成するようにしたことを特徴とする請求項９に記載のスペーサ部材。
【請求項１１】
前記取付部は、前記スイッチ本体の周部に設けた凹溝部の互いに向い合う部位に、前記取付用ねじ部材が挿通されるスイッチ側ねじ挿通孔を有するねじ挿通孔形成部を設けると共に、隣り合う前記ねじ挿通孔形成部の端面部で嵌合凹部を形成しており、前記スペーサ本体は、前記凹溝部に挿入される連結部を有し、この連結部の両端部に前記嵌合凹部に嵌合される嵌合凸部を設け、これらの嵌合凸部に前記スペーサ側ねじ挿通孔を形成し、前記嵌合凸部の端面部に、前記連結部とは反対側に脚片部を突設し、これらの脚片部に前記ねじ挿通孔形成部に係脱可能に係止する係止爪部を形成して構成してあり、前記スペーサ部材の前記取付部への挿入時に、前記係止爪部を前記ねじ挿通孔形成部に係脱可能に係止させて仮止め手段を構成するようにしたことを特徴とする請求項９に記載のスペーサ部材。
【請求項１２】
前記取付部は、前記スイッチ本体の周部に設けた凹溝部の互いに向い合う部位に、前記取付用ねじ部材が挿通されるスイッチ側ねじ挿通孔を有するねじ挿通孔形成部を設けると共に、隣り合う前記ねじ挿通孔形成部の端面部で嵌合凹部を形成し、前記凹溝部に、当該凹溝部に沿うスライドガイド溝部を設けて構成してあり、前記スペーサ本体は、前記凹溝部に挿入される連結部を有し、この連結部の両端部に前記嵌合凹部に嵌合される嵌合凸部を設け、これらの嵌合凸部に前記スペーサ側ねじ挿通孔を形成し、前記嵌合凸部の端面部に、前記連結部とは反対側に脚片部を突設すると共に、前記脚片部の一方にスペーサ挿抜方向とは直交する方向にスライドガイドを突設して構成してあり、前記凹溝部に前記スペーサ本体が嵌合されることで前記仮止め手段を構成し、前記スライドガイドを前記スライドガイド溝部に挿入して、前記スペーサ本体が前記スイッチ本体に連係されることを特徴とする請求項９に記載のスペーサ部材。
【発明の詳細な説明】
【技術分野】
【０００１】
本発明は、例えば、自動化された工作機械の作業エリアの出入り口の固定枠に取付けられるドアスイッチ等に使用される安全スイッチと、この安全スイッチ取付用のスペーサ部材に関する。
【背景技術】
【０００２】
安全スイッチであるドアロックスイッチは、一般に、自動化された工作機械を設置した作業エリアの出入り口に設けた扉の開閉を検知して、工作機械の電源を入り切りするものであり、扉を閉めると扉側の操作キーが出入り口側に備えたスイッチ本体のキー挿入口に挿入され、挿入された操作キーによって内装カムが回転操作されて、スイッチ本体に内蔵したスイッチング機構がスイッチオン状態に切り換えられて電源回路などが接続されると共に、扉を開けると操作キーの抜出しによって内装カムが回転操作されて、スイッチング機構がスイッチオフ状態に切り換えられて電源回路等が断たれるように構成されている（特許文献１参照）。
【０００３】
このようなドアロックスイッチＳには、図２６及び図２７に示すように、出入り口の固定枠Ｂに取付けられるインターロック付きのスイッチ本体４０と、開閉される扉（図示せず）に取付けられる操作キー（図示せず）とからなる。そして、スイッチ本体４０は、本体ケース４１と本体ケース４１の上端にねじ連結されるヘッドケース４２を備えており、本体ケース４１にはドアロックスイッチを固定枠Ｂに取付けるための取付部４５が設けてある。
【０００４】
この取付部４５は、図２６に示すように、本体ケース４１の周部に形成された凹溝部４１Ａの互い向き合う部位に断面四角形状のねじ挿通孔形成部４３を設け、ねじ挿通孔形成部４３にねじ挿通孔４４を設けて構成してある。
【０００５】
そして、図２７に示すように、ドアロックスイッチＳを固定枠Ｂに取付けるには、本体ケース４１の後面部４１ｄを固定枠Ｂに当接させて、取付部４５のねじ挿通孔４４に取付用ねじ部材４６を挿入して、これらの取付用ねじ部材４６を固定枠Ｂのねじ孔部４７に螺合し、取付用ねじ部材４６を締付けることにより、ドアロックスイッチを固定枠Ｂに取付けるようにしてある。この場合、取付部４５と固定枠Ｂとの間には隙間Ｃが生じ、取付用ねじ部材４６のねじ部４６ａが露出するようになる。
【０００６】
また、従来例として、図２８に示すように、ドアスイッチＳのスイッチ本体４０の本体ケース４１に、この本体ケース４１の表裏に抜ける取付孔４８を一対設けて、これらの取付孔４８にカラー部材４９を軽く圧入し、スイッチ本体４０の背面部を固定枠Ｂに当接させて、カラー部材４９に取付用ねじ部材５０を挿入して、これらの取付用ねじ部材５０を固定枠Ｂのねじ孔部（図示せず）に螺合し、取付用ねじ部材５０を締付けることにより、ドアロックスイッチＳを固定枠Ｂに取付けるようにしたものがある。
【特許文献１】特開２００４−７９２０４号公報
【発明の開示】
【発明が解決しようとする課題】
【０００７】
上記した従来の安全スイッチ（ドアロックスイッチＳ）の取付装置にあっては、図２７に示すように、取付部４５と固定枠Ｂとの間に隙間Ｃがあり、取付用ねじ部材４６の隙間Ｃから露出するねじ部４６ａは無支持状態であるために、作用点Ｐ１と力点Ｐ２とが別々に生じ、力点Ｐ２が取付用ねじ部材４６の本体ケース４１側に位置するようになる。
【０００８】
安全スイッチ（ドアロックスイッチＳ）は固定枠Ｂに取付けてあり、扉の開け閉め時に１００ｋｇ相当以上の過負荷が加わる場合がある。この時に、取付用ねじ部材４６に荷重が加わり、取付用ねじ部材４６の力点Ｐ２に過負荷が生じて取付用ねじ部材４６が曲がり、安全スイッチ（ドアロックスイッチＳ）の取付位置がずれる。その結果、操作キーをヘッドケース４２に設けたキー挿入口４２Ａに入れようとした場合に、余り大きくないキー挿入口４２Ａに入らず、操作キーがヘッドケース４２に衝突してしまうという問題が生じていた。
【０００９】
上記した安全スイッチ（ドアロックスイッチＳ）の取付は正面取付であり、側面取付の場合においても、正面取付の場合と同様に、過負荷により取付用ねじ部材が曲がり、安全スイッチ（ドアロックスイッチＳ）の取付位置がずれる結果、操作キーがキー挿入口に入らず、操作キーがヘッドケースに衝突してしまうという問題が生じていた。
【００１０】
また、上記した従来のスペーサとしてのカラー部材４９の場合には、上記したような取付用ねじ部材４６のねじ部４６ａの露出を防止できるが、製品としてのドアスイッチの輸送時に、カラー部材４９が知らない間に脱落してしまうという問題が生じていたし、また、取付孔４８が本体ケース４１の前後方向（正面から裏面）に抜ける構成である場合には、取付孔４８にカラー部材４９を圧入することはできるが、取付孔４８の他に、本体ケース４１の左右方向に抜ける取付孔を設けようとした場合、カラー部材４９同士が干渉し合うようになって、左右方向に抜ける取付孔を形成することができず、安全スイッチとしてのドアスイッチＳを側面取付することができないという問題が生じていた。
【００１１】
本発明は上記の問題点を解決するものであり、その第１の目的とするところは、操作キーをキー挿入口に入れようとした場合に、操作キーはキー挿入口に容易に入り、操作キーがヘッドケースに衝突するといった不具合が防止できる安全スイッチを提供することである。
【００１２】
また、本発明の第２の目的とするところは、安全スイッチを正面取付又は側面取付した場合に、取付用ねじ部材の一部を支持することができるし、製品の輸送時に、スペーサ部材が知らない間に脱落して紛失しまうという不具合が解消されるスペーサ部材を提供することにある。
【課題を解決するための手段】
【００１３】
上記の第１の目的を達成するために、本発明に係る安全スイッチは、電源回路のオン・オフを司るスイッチング手段と、操作キーの挿抜により前記スイッチング手段の接点切換動作を行なわせる接点切換手段が収容されたスイッチ本体を有する安全スイッチであって、スイッチ本体の筐体周部に取付用ねじ部材が挿通されるねじ挿通孔を有する取付部を設け、この取付部とスイッチの設置面との間の空間にスペーサ部材を介在させ、スイッチ本体とスペーサ部材とを取付用ねじ部材で共締めして設置面に取付けて、取付用ねじ部材の一部をスペーサ部材で支持するようにしたことを特徴とする。
【００１４】
かかる構成により、スペーサ部材が取付部に着脱可能に装着されることで、取付用ねじ部材はスペーサ部材により支持されるために、作用点Ｐ１と力点Ｐ２とがスイッチ取付部材の同じ位置に生じる。安全スイッチには扉の開け閉め時に１００ｋｇ相当以上の過負荷が加わる場合があり、取付用ねじ部材の作用点Ｐ１に荷重に加わるが、作用点Ｐ１と力点Ｐ２とがスイッチ取付部材の同じ位置にあるために、取付用ねじ部材に過負荷が生じることがなく曲げ変形することがない。このために、安全スイッチの取付位置がずれることがなくなり、その結果、操作キーをキー挿入口に入れようとした場合に、操作キーはキー挿入口に容易に入り、操作キーがヘッドケースに衝突するといった不具合が防止できる。
【００１５】
また、本発明に係る安全スイッチは、上記した本発明に係る安全スイッチにおいて、スイッチ本体は、取付用ねじ部材の挿通方向に直交する筐体両側面のどちらか一方を当該スイッチ本体の設置面との当接面に選択できる構造であり、スペーサ部材は当接面側にある取付部と設置面との間の空間に選択的に設けられることを特徴とする。
【００１６】
かかる構成により、一方の当接面を設置面に当接させて、スイッチ本体を設置面に取付ける、例えば、正面取付の場合には、取付用ねじ部材はスペーサ部材により支持されるし、他方の当接面を設置面に当接させて、スイッチ本体を設置面に取付ける、例えば、側面取付の場合には、取付用ねじ部材はスペーサ部材により支持される。このために、作用点Ｐ１と力点Ｐ２とが設置面の同じ位置に生じるようになって、取付用ねじ部材に過負荷が生じることがなく曲げ変形することがない。このために、安全スイッチの取付位置がずれることがなくなり、その結果、操作キーをキー挿入口に入れようとした場合に、操作キーはキー挿入口に容易に入り、操作キーがヘッドケースに衝突するといった不具合が防止できる。
【００１７】
また、本発明に係る安全スイッチは、上記した本発明に係る安全スイッチにおいて、取付部は、スイッチ本体の周部に設けた凹溝部に設けられ、スペーサ部材は、その取付時にスイッチ側ねじ挿通孔に合致するスペーサ側ねじ挿通孔を有していて、取付用ねじ部材がスイッチ側ねじ挿通孔とスペーサ側ねじ挿通孔を挿通するようにしたことを特徴とする。
【００１８】
かかる構成により、ケース本体を設置面に当接させて、取付部のねじ挿通孔に取付用ねじ部材を挿入して、これらの取付用ねじ部材をスペーサ側ねじ挿通孔からスイッチ取付部材のねじ孔部に螺合し、取付用ねじ部材を締付けることにより、安全スイッチを設置面に取付けることができる。したがって、作用点Ｐ１と力点Ｐ２とが設置面の同じ位置に生じるようになって、取付用ねじ部材に過負荷が生じることがなく曲げ変形することがない。このために、安全スイッチの取付位置がずれることがなくなり、その結果、操作キーをキー挿入口に入れようとした場合に、操作キーはキー挿入口に容易に入り、操作キーがヘッドケースに衝突するといった不具合が防止できる。
【００１９】
また、本発明に係る安全スイッチは、上記した本発明に係る安全スイッチにおいて、スペーサ部材は、スイッチ本体に仮止めされる仮止め手段を備えることを特徴とする。
【００２０】
かかる構成により、スペーサ部材をスイッチ本体に着脱可能に装着すると、仮止め手段によりスペーサ部材がスイッチ本体に仮止めされることになる。このために、製品の輸送時に、スペーサ部材が知らない間に脱落して紛失しまうという不具合が解消される。
【００２１】
また、本発明に係る安全スイッチは、上記した本発明に係る安全スイッチにおいて、取付部は、隣り合うねじ挿通孔形成部の端面部で嵌合凹部を形成しており、スペーサ部材は、凹溝部に挿入される連結部を有し、この連結部の両端部に嵌合凹部に嵌合される嵌合凸部を設け、これらの嵌合凸部にスペーサ側ねじ挿通孔を形成し、嵌合凸部の互い対向する対向面部にスペーサ挿抜方向に沿う突起部を突設して構成してあり、スペーサ部材の取付部への挿入時に、突起部でねじ挿通孔形成部を挟持させて前記仮止め手段を構成するようにしたことを特徴とする。
【００２２】
かかる構成により、スペーサ部材を取付部に着脱可能に装着すると、連結部は凹溝部に挿入されるし、嵌合凸部が嵌合凹部に嵌合されてスペーサ部材の嵌合凸部の互い対向する突起部がねじ挿通孔形成部の両端面部に係脱可能に挟持することで、スペーサ部材がケース本体に仮止めされることになる。このために、製品の輸送時に、スペーサ部材が知らない間に脱落して紛失しまうという不具合が解消される。
【００２３】
また、本発明に係る安全スイッチは、上記した本発明に係る安全スイッチにおいて、取付部は、隣り合うねじ挿通孔形成部の端面部で嵌合凹部を形成しており、スペーサ部材は、凹溝部に挿入される連結部を有し、この連結部の両端部に嵌合凹部に嵌合される嵌合凸部を設け、これらの嵌合凸部にスペーサ側ねじ挿通孔を形成し、嵌合凸部の端面部に、連結部とは反対側に脚片部を突設し、これらの脚片部にねじ挿通孔形成部に係脱可能に係止する係止爪部を形成して構成してあり、スペーサ部材の取付部への挿入時に、係止爪部をねじ挿通孔形成部に係脱可能に係止させて前記仮止め手段を構成するようにしたことを特徴とする。
【００２４】
かかる構成により、スペーサ部材を取付部に着脱可能に装着すると、連結部は凹溝部に挿入されるし、嵌合凸部が嵌合凹部に嵌合されてスペーサ部材の両脚片部の先端部の係止爪部がねじ挿通孔形成部に係脱可能に係止されることで、スペーサ部材がケース本体に仮止めされることになる。このために、製品の輸送時に、スペーサ部材が知らない間に脱落して紛失しまうという不具合が解消される。
【００２５】
また、本発明に係る安全スイッチは、上記した本発明に係る安全スイッチにおいて、スペーサ部材は、当該スペーサ部材が取付部から外された状態でスイッチ本体に連係されていることを特徴とする。
【００２６】
かかる構成により、スペーサ部材を取付部に挿入すると、スペーサ部材が凹溝部内に嵌合してスペーサ部材の仮止めが行われる。また、スペーサ部材はスイッチ本体から外れない。このために、製品の輸送時に、スペーサ部材が知らない間に脱落して紛失しまうという不具合が解消される。
【００２７】
また、本発明に係る安全スイッチは、上記した本発明に係る安全スイッチにおいて、取付部は、隣り合うねじ挿通孔形成部の端面部で嵌合凹部を形成し、凹溝部に、当該凹溝部に沿うスライドガイド溝部を設け、スペーサ部材は、凹溝部に挿入される連結部を有し、この連結部の両端部に嵌合凹部に嵌合される嵌合凸部を設け、これらの嵌合凸部にスペーサ側ねじ挿通孔を形成し、嵌合凸部の端面部に、連結部とは反対側に脚片部を突設すると共に、脚片部の一方にスペーサ挿抜方向とは直交する方向にスライドガイドを突設して構成してあり、スペーサ部材は、スライドガイドをスライドガイド溝部に挿入して、スイッチ本体に連係されていることを特徴とする。
【００２８】
かかる構成により、スペーサ部材を取付部に挿入すると、スペーサ部材が凹溝部内に嵌合してスペーサ部材の仮止めが行われる。また、スライドガイドはスライドガイド溝部に挿入されているために、スペーサ部材はスイッチ本体から外れない。このために、製品の輸送時に、スペーサ部材が知らない間に脱落して紛失しまうという不具合が解消される。
【００２９】
また、上記の第２の目的を達成するために、本発明に係るスペーサ部材は、取付用ねじ部材の挿通方向に直交する筐体両側面のどちらか一方を当該スイッチ本体の設置面との当接面に選択できる構造を有するスイッチ本体における、前記当接面側に設けた取付部と前記設置面との間の空間に選択的に設けられるスペーサ部材であって、スペーサ本体を備え、このスペーサ本体に前記取付用ねじ部材が挿通されるスペーサ側ねじ挿通孔を設けたことを特徴とする。
【００３０】
かかる構成により、一方の当接面を設置面に当接させてスペーサ側ねじ挿通孔に挿通した取付用ねじ部材でスイッチ本体を設置面に取付ける、例えば、正面取付の場合には、スペーサ部材が取付用ねじ部材の一部を支持することができるし、他方の当接面を設置面に当接させてスペーサ側ねじ挿通孔に挿通した取付用ねじ部材でスイッチ本体を設置面に取付ける、例えば、側面取付の場合には、スペーサ部材が取付用ねじ部材の一部を支持することができる。
【００３１】
また、本発明に係るスペーサ部材は、上記した本発明に係るスペーサ部材において、取付部は、スイッチ本体の周部に設けた凹溝部の互いに向い合う部位に、取付用ねじ部材が挿通されるスイッチ側ねじ挿通孔を有するねじ挿通孔形成部を設けると共に、隣り合うねじ挿通孔形成部の端面部で嵌合凹部を形成しており、スペーサ本体は、凹溝部に挿入される連結部を有し、この連結部の両端部に嵌合凹部に嵌合される嵌合凸部を設け、これらの嵌合凸部にスペーサ側ねじ挿通孔を形成して構成してあり、嵌合凸部の互い対向する対向面部にスペーサ挿抜方向に沿う突起部を突設し、スペーサ部材の取付部への挿入時に、突起部でねじ挿通孔形成部を挟持させて仮止め手段を構成するようにしたことを特徴とする。
【００３２】
かかる構成により、スペーサ部材を取付部に着脱可能に装着すると、連結部は凹溝部に挿入されるし、嵌合凸部が嵌合凹部に嵌合されて、スペーサ部材の嵌合凸部の互い対向する突起部がねじ挿通孔形成部の両端面部に係脱可能に係止されることで、スペーサ部材がケース本体に仮止めされることになる。このために、製品の輸送時に、スペーサ部材が知らない間に脱落して紛失しまうという不具合が解消される。
【００３３】
また、本発明に係るスペーサ部材は、上記した本発明に係るスペーサ部材において、スイッチ本体は、取付部は、スイッチ本体の周部に設けた凹溝部の互いに向い合う部位に、取付用ねじ部材が挿通されるスイッチ側ねじ挿通孔を有するねじ挿通孔形成部を設けると共に、隣り合うねじ挿通孔形成部の端面部で嵌合凹部を形成しており、スペーサ本体は、凹溝部に挿入される連結部を有し、この連結部の両端部に嵌合凹部に嵌合される嵌合凸部を設け、これらの嵌合凸部にスペーサ側ねじ挿通孔を形成し、嵌合凸部の端面部に、連結部とは反対側に脚片部を突設し、これらの脚片部に記ねじ挿通孔形成部に係脱可能に係止する係止爪部を形成して構成してあり、スペーサ部材の取付部への挿入時に、係止爪部をねじ挿通孔形成部に係脱可能に係止させて仮止め手段を構成するようにしたことを特徴とする。
【００３４】
かかる構成により、スペーサ部材を取付部に着脱可能に装着すると、連結部は凹溝部に挿入されるし、嵌合凸部が嵌合凹部に嵌合されて、スペーサ部材の両脚片部の先端部の係止爪部がねじ挿通孔形成部の端面部に係脱可能に係止されることで、スペーサ部材がケース本体に仮止めされることになる。このために、製品の輸送時に、スペーサ部材が知らない間に脱落して紛失しまうという不具合が解消される。
【００３５】
また、本発明に係るスペーサ部材は、上記した本発明に係るスペーサ部材において、取付部は、スイッチ本体の周部に設けた凹溝部の互いに向い合う部位に、取付用ねじ部材が挿通されるスイッチ側ねじ挿通孔を有するねじ挿通孔形成部を設けると共に、隣り合うねじ挿通孔形成部の端面部で嵌合凹部を形成し、凹溝部に、当該凹溝部に沿うスライドガイド溝部を設けて構成してあり、スペーサ本体は、凹溝部に挿入される連結部を有し、この連結部の両端部に嵌合凹部に嵌合される嵌合凸部を設け、これらの嵌合凸部にスペーサ側ねじ挿通孔を形成し、嵌合凸部の端面部に、連結部とは反対側に脚片部を突設すると共に、脚片部の一方にスペーサ挿抜方向とは直交する方向にスライドガイドを突設して構成してあり、凹溝部にスペーサ本体が嵌合されることで仮止め手段を構成し、スライドガイドを前記スライドガイド溝部に挿入して、スペーサ本体がスイッチ本体に連係されることを特徴とする。
【００３６】
かかる構成により、スペーサ部材を取付部に挿入すると、スペーサ部材が凹溝部内に嵌合してスペーサ部材の仮止めが行われる。また、スライドガイドはスライドガイド溝部に挿入されているために、スペーサ部材はスイッチ本体から外れない。このために、製品の輸送時に、スペーサ部材が知らない間に脱落して紛失しまうという不具合が解消される。
【発明の効果】
【００３７】
本発明に係る安全スイッチによれば、安全スイッチの取付位置がずれることがなくなり、その結果、操作キーをキー挿入口に入れようとした場合に、操作キーはキー挿入口に容易に入り、操作キーがヘッドケースに衝突するといった不具合が防止できる。
【００３８】
また、本発明に係るスペーサ部材によれば、仮止め手段によりスペーサ部材がケース本体に仮止めされることになる。このために、製品の輸送時に、スペーサ部材が知らない間に脱落して紛失しまうという不具合が解消される。
【発明を実施するための最良の形態】
【００３９】
以下、本発明に係る安全スイッチと、スペーサ部材の実施形態を、図面を参照しながら説明する。
【００４０】
（実施例１）
本発明に係る安全スイッチと、スペーサ部材の実施例１を図１乃至図１０に基づいて説明する。
【００４１】
図１および図２に示すように、安全スイッチＡは、工作機械が設置された作業エリアの出入り口（いずれも図示せず）等に取付けられて利用されるものであって、後述する出入り口の固定枠Ｂに取付けられるインターロック付きのスイッチ本体１と、開閉される扉に取付けられる操作キー（いずれも図示せず）とからなる。
【００４２】
スイッチ本体１は、本体ケース３とこれの上端にねじ連結されるヘッドケース４とを備え、本体ケース３にはメインとなるスイッチング手段であるスイッチング機構、ロック機構およびモニタ用スイッチング機構（いずれも図示せず）が組み込んであり、また、ヘッドケース４にはスイッチング機構を操作する接点切換手段としての回転カムと、この回転カムを支持するベース（いずれも図示せず）とが組込まれると共に、その正面部にキー挿入口５が、頂部にはキー挿入口５Ａがそれぞれ形成してある。
【００４３】
図４に示すように、本体ケース３は、安全スイッチＡの設置面である固定枠Ｂへの取付時に、この固定枠Ｂに接する互いに直交する二つの当接面３Ｂ，３Ｃを有している。一方の当接面３Ｂは安全スイッチＡの正面取付時に固定枠Ｂに当接するものであり、他方の当接面３Ｃは安全スイッチＡの側面取付時に固定枠Ｂに当接するものである。一方の当接面３Ｂは本体ケース３の背面であり、他方の当接面３Ｃは本体ケース３の側面である。そして、本体ケース３の正面を図面にＨで示す。
【００４４】
そして、図４に示すように、本体ケース３の周部には断面コ字形状の凹溝部２が形成してあり、凹溝部２の一方の互いに対向する部位には断面四角形状のねじ挿通孔形成部６が設けてあり、ねじ挿通孔形成部６にはスイッチ側ねじ挿通孔７が設けてあって、一方の取付部である背面側スペーサ取付部１０が形成してある。
【００４５】
また、凹溝部２の他方の互いに対向する部位には断面四角形状のねじ挿通孔形成部８が設けてあり、ねじ挿通孔形成部８にはスイッチ側ねじ挿通孔９が設けてあって、他方の取付部である側面側スペーサ取付部１１が形成してある。
【００４６】
この場合、側面側スペーサ取付部１１は背面側スペーサ取付部１０に対して直交しており、背面側スペーサ取付部１０のねじ挿通孔形成部６と側面側スペーサ取付部１１のねじ挿通孔形成部８とは、それぞれの隣り合う端面部６ａ，８ａ間に嵌合凹部１２を形成している。
【００４７】
本発明に係るスペーサ部材の実施例１を図８乃至図１０に示す。スペーサ部材１３はスペーサ本体１３Ａを有しており、このスペーサ本体１３Ａは、凹溝部２に挿入される連結部１４を有する。連結部１４の両端部には、嵌合凹部１２に嵌合される嵌合凸部１５が設けてあり、これらの嵌合凸部１５には、スペーサ挿抜方向イに沿うスペーサ側ねじ挿通孔１７が形成されている。また、嵌合凸部１５の互いに対向する対向面１５ａには、スペーサ挿抜方向イに沿う突起部１６が形成してあって、これらで仮止め手段を構成している。
【００４８】
そして、スペーサ部材１３が背面側スペーサ取付部１０に着脱可能に装着される場合には、図６に示すように、スペーサ部材１３が凹溝部２内に挿入され、両突起部１６がねじ挿通孔形成部８を挟むようにして、当該ねじ挿通孔形成部８の両端面部８ａに係脱可能に係止され、スペーサ部材１３の仮止めが行われる。この場合、スペーサ部材１３の嵌合凸部１５は凹溝部２の嵌合凹部１２に嵌合されて、スペーサ側ねじ挿通孔１７はスイッチ側ねじ挿通孔７に合致するようになる。
【００４９】
次に、上記のように構成されたスペーサ部材１３を用いて、安全スイッチＡを作業エリアの出入り口の固定枠Ｂに正面取付及び側面取付する場合を説明する。
【００５０】
安全スイッチＡを固定枠Ｂに正面取付する場合には、図６に示すように、スペーサ部材１３を背面側スペース取付部１０に挿入して、本体ケース３の一方の当接面３Ｂ及びスペーサ部材１３の連結部１４の外面部を固定枠Ｂに当接させて、スイッチ側ねじ挿通孔７に取付用ねじ部材２０を挿入して、これらの取付用ねじ部材２０をスペーサ側ねじ挿通孔１７から固定枠Ｂのねじ孔部１８に螺合し、取付用ねじ部材２０を締付けることにより、安全スイッチＡを固定枠Ｂに取付ける。
【００５１】
また、図７に示すように、安全スイッチＡを固定枠Ｂに側面取付する場合には、スペーサ部材１３を側面側スペース取付部１１に挿入することにより、両突起部１６がねじ挿通孔形成部６を挟むようにして、当該ねじ挿通孔形成部６の両端面部６ａに係脱可能に係止され、スペーサ部材１３の仮止めが行われる。この場合、スペーサ部材１３の嵌合凸部１５は凹溝部２の嵌合凹部１２に嵌合されて、スペーサ側ねじ挿通孔１７はスイッチ側ねじ挿通孔９に合致するようになる。
【００５２】
そして、図７に示すように、本体ケース３の他方の当接面３Ｃ及びスペーサ部材１３の連結部１４の外面部を固定枠Ｂに当接させて、スイッチ側ねじ挿通孔９に取付用ねじ部材２０を挿入して、取付用ねじ部材２０をスペーサ側ねじ挿通孔１７から固定枠Ｂのねじ孔部１８に螺合し、取付用ねじ部材２０を締付けることにより、安全スイッチＡを固定枠Ｂに取付ける。
【００５３】
上記したように、スペーサ部材１３が背面側スペーサ取付部１０（又は側面側スペーサ取付部１１）に着脱可能に装着されることで、背面側スペーサ取付部１０（又は側面側スペーサ取付部１１）と固定枠Ｂとの間の隙間Ｃが塞がれ、取付用ねじ部材２０はスペーサ部材１３により支持されるために、図６及び図７に示すように、作用点Ｐ１と力点Ｐ２とが取付用ねじ部材２０の固定枠Ｂ側の同じ位置に生じる。
【００５４】
安全スイッチＡには扉の開け閉め時に１００ｋｇ相当以上の過負荷が加わる場合があり、取付用ねじ部材２０の作用点Ｐ１に荷重に加わるが、作用点Ｐ１と力点Ｐ２とが取付用ねじ部材２０の固定枠Ｂ側の同じ位置にあるために、取付用ねじ部材２０に過負荷が生じることがなく曲げ変形することがない。このために、安全スイッチＡの取付位置がずれることがなくなり、その結果、操作キーをヘッドケース４に設けたキー挿入口５に入れようとした場合に、操作キーはキー挿入口５に容易に入るようになる。
【００５５】
また、スペーサ部材１３を背面側スペーサ取付部１０（又は側面側スペーサ取付部１１）に着脱可能に装着すると、スペーサ部材１３の両突起部１６がねじ挿通孔形成部８（６）を挟むようにして、当該ねじ挿通孔形成部８（６）の両端面部８ａ（６ａ）に係脱可能に係止され、スペーサ部材１３の仮止めされることになる。このために、製品の輸送時に、スペーサ部材１３が知らない間に脱落して紛失しまうという不具合が解消される。
【００５６】
（実施例２）
本発明に係る安全スイッチと、スペーサ部材の実施例２を図１１乃至図１５に基づいて説明する。なお、本発明の実施例２における背面側スペーサ取付部１０及び側面側スペーサ取付部１１の構成は、上記した本発明の実施例１におけるもの同じであるために、同じ符号を付して説明を省略する。
【００５７】
図１３乃至図１５に示すように、本発明の実施例２におけるスペーサ部材２２はスペーサ本体２２Ａを有しており、スペーサ本体２２Ａは凹溝部２に挿入される連結部２３を有し、この連結部２３の両端部にはそれぞれ嵌合凹部１２に嵌合される嵌合凸部２４が設けてあり、嵌合凸部２４にはスペーサ挿抜方向イに沿うスペーサ側ねじ挿通孔２５が形成してある。そして、嵌合凸部２４の端面部２４ａには、連結部２３とは反対側に脚片部２６が突設してあり、脚片部２６に、背面側スペーサ取付部１０のねじ挿通孔形成部６（８）に係脱可能に係止する係止爪部２７が形成してあり、脚片部２６と係止爪部２７とで仮止め手段を構成している。
【００５８】
図１１に示すように、安全スイッチＡの正面取付の場合であって、スペーサ部材２２が背面側スペーサ取付部１０に装着された場合には、両脚片部２６の先端部の係止爪部２７がねじ挿通孔形成部６の端面部６ａに係脱可能に係止されて、スペーサ部材２２が仮止めされることになる。そして、スペーサ部材２２が凹溝部２内に挿入されて、スペーサ側ねじ挿通孔２５はスイッチ側ねじ挿通孔７に合致するようになる。
【００５９】
そして、図１１に示すように、本体ケース３の一方の当接面３Ｂ及びスペーサ部材２２の連結部２３の外面部を固定枠Ｂに当接させて、スイッチ側ねじ挿通孔７に取付用ねじ部材２０を挿入して、これらの取付用ねじ部材２０をスペーサ側ねじ挿通孔２５から固定枠Ｂのねじ孔部１８に螺合し、取付用ねじ部材２０を締付けることにより、安全スイッチＡを固定枠Ｂに取付ける。
【００６０】
また、図１２に示すように、安全スイッチＡの側面取付の場合であって、スペーサ部材２２が側面側スペーサ取付部１１に装着された場合には、両脚片部２６の先端部の係止爪部２７がねじ挿通孔形成部８の端面部８ａに係脱可能に仮止めされることになる。そして、スペーサ部材２２が凹溝部２内に挿入されて、スペーサ側ねじ挿通孔２５はスイッチ側ねじ挿通孔９に合致するようになる。
【００６１】
そして、図１２に示すように、本体ケース３の他方の当接面３Ｃ及びスペーサ部材１３−１の連結部２３の外面部を固定枠Ｂに当接させて、側面側スペーサ取付部１１のスイッチ側ねじ挿通孔９に取付用ねじ部材２０を挿入して、これらの取付用ねじ部材２０をスペーサ側ねじ挿通孔２５から固定枠Ｂのねじ孔部１８に螺合し、取付用ねじ部材２０を締付けることにより、安全スイッチＡを固定枠Ｂに取付ける。
【００６２】
上記したように、スペーサ部材２２が背面側スペーサ取付部１０（又は側面側スペーサ取付部１１）に着脱可能に装着されることで、この背面側スペーサ取付部１０（又は側面側スペーサ取付部１１）と固定枠Ｂとの間の隙間Ｃが縮小され、取付用ねじ部材２０はスペーサ部材２２により支持されるために、図１１及び図１２に示すように、作用点Ｐ１と力点Ｐ２とが取付用ねじ部材２０の固定枠Ｂ側の同じ位置に生じる。
【００６３】
安全スイッチＡには扉の開け閉め時に１００ｋｇ相当以上の過負荷が加わる場合があり、取付用ねじ部材２０の作用点Ｐ１に荷重に加わるが、作用点Ｐ１と力点Ｐ２とが取付用ねじ部材２０の固定枠Ｂ側の同じ位置にあるために、取付用ねじ部材２０に過負荷が生じることがなく曲げ変形することがない。このために、安全スイッチＡの取付位置がずれることがなくなり、その結果、操作キーをヘッドケース４に設けたキー挿入口５に入れようとした場合に、操作キーはキー挿入口５に容易に入るようになる。
【００６４】
また、スペーサ部材２２を背面側スペーサ取付部１０（又は側面側スペーサ取付部１１）に着脱可能に装着すると、スペーサ部材２２の両脚片部３１の先端部の係止爪部３２がねじ挿通孔形成部６（８）の端面部６ａ（８ａ）に係脱可能に係止されることで、スペーサ部材２２が本体ケース３に仮止めされることになる。このために、製品の輸送時に、スペーサ部材２２が知らない間に脱落して紛失しまうという不具合が解消される。
【００６５】
（実施例３）
本発明に係る安全スイッチと、スペーサ部材の実施例３を図１６乃至図２５に基づいて説明する。
【００６６】
本発明の実施例３における背面側スペーサ取付部１０及び側面側スペーサ取付部１１における凹溝部２のヘッドケース取付部３Ａ側の面部（図１６において上面部）２Ａには、図１７に示すように、一方の当接面３Ｂを除く他の三つの面部、すなわち、他方の当接面３Ｃと他の面部３Ｄ，３Ｅに沿うようにしてスライドガイド溝部３０が形成してある。スライドガイド溝部３０は、他方の当接面３Ｃに平行な溝部３０ｃと面部３Ｄに平行な溝部３０ｄと面部３Ｅに平行な溝部３０ｅとを連ねて構成してある。また、背面側スペーサ取付部１０及び側面側スペーサ取付部１１の他の構成は、上記した本発明の実施例１におけるもの同じであるために、同じ符号を付して説明を省略する。
【００６７】
本発明に係るスペーサ部材の実施例３を図２３乃至図２５に示す。このスペーサ部材３１はスペーサ本体３１Ａを有しており、このスペーサ本体３１Ａは、凹溝部２に挿入される連結部３２を有しており、この連結部３２の両端部には、嵌合凹部１２に嵌合される嵌合凸部３３が設けてあり、これらの嵌合凸部３３には、スペーサ挿抜方向イに沿うスペーサ側ねじ挿通孔３４が形成してある。また、嵌合凸部３３の端面部３３ａには、連結部３２とは反対側に脚片部３５が突設してあり、脚片部３５の一方には、スペーサ挿抜方向イとは直交する方向に突出するスライドガイド３６が設けてある。そして、スペーサ部材３１は、そのスライドガイド３６をスライド溝部３０に挿入して、本体ケース３に連係されている。
【００６８】
そして、スペーサ部材３１が背面側スペーサ取付部１０に着脱可能に装着された場合には、図１８に示すように、スペーサ部材３１が凹溝部２内に嵌合されてスペーサ部材３１の仮止めが行われる。この場合、図１７に示すように、スライドガイド３６はスライドガイド溝部３０は溝部３０ｃの中間部に位置するし、図１８に示すように、スペーサ側ねじ挿通孔３４はスイッチ側ねじ挿通孔７に合致するようになる。
【００６９】
次に、上記のように構成されたスペーサ部材３１を用いて、安全スイッチＡを自動工作エリアの出入り口の固定枠Ｂに正面取付及び側面取付する場合を説明する。
【００７０】
安全スイッチＡを固定枠Ｂに正面取付する場合には、図１８に示すように、スペーサ側ねじ挿通孔３４をスイッチ側ねじ挿通孔７に合致させた状態で、本体ケース３の一方の当接面３Ｂ及びスペーサ部材３１の連結部３２の外面部を固定枠Ｂに当接させて、スイッチ側ねじ挿通孔７に取付用ねじ部材２０を挿入して、これらの取付用ねじ部材２０をスペーサ側ねじ挿通孔３４から固定枠Ｂのねじ孔部１８に螺合し、取付用ねじ部材２０を締付けることにより、安全スイッチＡを固定枠Ｂに取付ける。
【００７１】
また、安全スイッチＡを固定枠Ｂに側面取付する場合には、図２０に示すように、背面側スペーサ取付部１０に装着されたスペーサ部材３１を凹溝部２から引抜き、スライドガイド３６をスライドガイド溝部３０の溝部３０ｃ内を矢印Ｆ１の方向（背面方向）に移動させて、この溝部３０ｃの背面側端部に位置させる。そして、スペーサ部材３１をスライドガイド３６を支点にして矢印Ｆ２の方向に回転させる。
【００７２】
次に、図２１に示すように、スペーサ部材３１を矢印Ｆ３の方向（正面Ｈ方向）に移動させて、スライドガイド３６をスライドガイド溝部３０の溝部３０ｃ内を移動させて、この溝部３０ｃの正面側端部に位置させる。そして、スペーサ部材３１をスライドガイド３６を支点にして矢印Ｆ４の方向に回転させる。
【００７３】
次に、図２２に示すように、スペーサ部材３１を側面側スペーサ取付部１１の凹溝部２内に嵌合する。この場合、スライドガイド３６は矢印Ｆ５のように移動してスライドガイド溝部３０は溝部３０ｄの中間部に位置する。また、図１９に示すように、スペーサ部材３１の嵌合凸部３３は凹溝部２の嵌合凹部１２に嵌合されて、スペーサ側ねじ挿通孔３４はスイッチ側ねじ挿通孔９に合致するようになる。
【００７４】
次に、図１９に示すように、本体ケース３の他方の当接面３Ｃ及びスペーサ部材３１の連結部３２の外面部を固定枠Ｂに当接させて、スイッチ側ねじ挿通孔９に取付用ねじ部材２０を挿入して、これらの取付用ねじ部材２０をスペーサ側ねじ挿通孔３４から固定枠Ｂのねじ孔部１８に螺合し、取付用ねじ部材２０を締付けることにより、安全スイッチＡを固定枠Ｂに取付ける。
【００７５】
上記のように、スペーサ部材１３が背面側スペーサ取付部１０（又は側面側スペーサ取付部１１）に着脱可能に装着されることで、この背面側スペーサ取付部１０（又は側面側スペーサ取付部１１）と固定枠Ｂとの間に隙間Ｃが塞がれ、取付用ねじ部材２０はスペーサ部材３１により支持されるために、図１８及び図１９に示すように、作用点Ｐ１と力点Ｐ２とが取付用ねじ部材２０の固定枠Ｂ側の同じ位置に生じる。
【００７６】
安全スイッチＡには扉の開け閉め時に１００ｋｇ相当以上の過負荷が加わる場合があり、取付用ねじ部材２０の作用点Ｐ１に荷重に加わるが、作用点Ｐ１と力点Ｐ２とが取付用ねじ部材２０の固定枠Ｂ側の同じ位置にあるために、取付用ねじ部材２０に過負荷が生じることがなく曲げ変形することがない。このために、安全スイッチＡの取付位置がずれることがなくなり、その結果、操作キーをヘッドケース４に設けたキー挿入口５に入れようとした場合に、操作キーはキー挿入口５に容易に入るようになる。
【００７７】
また、スペーサ部材１３を背面側スペーサ取付部１０（又は側面側スペーサ取付部１１）に挿入すると、スペーサ部材３１が凹溝部２内に嵌合して仮止めが行われる。また、スライドガイド３６はスライドガイド溝部３０に挿入されているために、スペーサ部材３１はスイッチ本体１から外れない。このために、製品の輸送時に、スペーサ部材３１が知らない間に脱落して紛失しまうという不具合が解消される。
【産業上の利用可能性】
【００７８】
本発明の安全スイッチによれば、安全スイッチの取付位置がずれることがなくなり、その結果、操作キーをキー挿入口に入れようとした場合に、操作キーはキー挿入口に容易に入り、操作キーがヘッドケースに衝突するといった不具合が防止できるという効果を有しており、安全スイッチとしてのドアスイッチ等の取付装置として有用である。
【図面の簡単な説明】
【００７９】
【図１】本発明に係る安全スイッチ（実施例１）の斜視図である。
【図２】同安全スイッチの背面側スペーサ取付部にスペーサ部材を装着した状態の斜視図である。
【図３】安全スイッチの側面図である。
【図４】図３のＸ−Ｘ線に沿う断面図である。
【図５】安全スイッチの背面側スペーサ取付部にスペーサ部材を装着した状態の側面図である。
【図６】図５のＹ−Ｙ線に沿う断面図である。
【図７】安全スイッチの背面側スペーサ取付部にスペーサ部材を装着した状態の説明図である。
【図８】本発明に係るスペーサ部材（実施例１）の斜視図である。
【図９】同スペーサ部材の平面図である。
【図１０】同スペーサ部材の正面図である。
【図１１】本発明に係る安全スイッチ（実施例２）の正面取付状態の説明図である。
【図１２】同安全スイッチの側面取付状態の説明図である。
【図１３】本発明に係るスペーサ部材（実施例２）の斜視図である。
【図１４】同スペーサ部材の平面図である。
【図１５】同スペーサ部材の正面図である。
【図１６】本発明に係る安全スイッチ（実施例３）の一部省略した状態の斜視図である。
【図１７】図１６のＺ−Ｚ線に沿う断面図である。
【図１８】同安全スイッチの正面取付状態の説明図である。
【図１９】同安全スイッチの側面取付状態の説明図である。
【図２０】本発明に係るスペーサ部材を背面側スペーサ取付部から抜き出す動作の説明図である。
【図２１】同スペーサ部材を安全スイッチの正面側に移動させる動作の説明図である。
【図２２】同スペーサ部材を安全スイッチ側面側スペーサ取付部に取付ける動作の説明図である。
【図２３】本発明に係るスペーサ部材（実施例３）の斜視図である。
【図２４】同スペーサ部材の平面図である。
【図２５】同スペーサ部材の正面図である。
【図２６】従来の安全スイッチを正面取付した状態の説明図である。
【図２７】図２６のＵ方向からの矢視図である。
【図２８】スペーサ部材としてのカラー部材を用いた従来の安全スイッチの斜視図である。
【符号の説明】
【００８０】
Ａ      安全スイッチ
Ｂ      固定枠（設置面）
Ｃ      隙間
Ｈ      正面
Ｐ１    作用点
Ｐ２    力点
１      スイッチ本体
２      凹溝部
３      本体ケース
３Ｂ    一方の当接面
３Ｃ    他方の当接面
４      ヘッドケース
５      キー挿入口
６      ねじ挿通孔形成部
７      スイッチ側ねじ挿通孔
８      ねじ挿通孔形成部
９      スイッチ側ねじ挿通孔
１０    背面側スペーサ取付部（一方の取付部）
１１    側面側スペーサ取付部（他方の取付部）
１２    嵌合凹部
１３    スペーサ部材
１３Ａ  スペーサ本体
１４    連結部
１５    嵌合凸部
１６    突起部（仮止め手段）
１７    スペーサ側ねじ挿通孔
２０    取付用ねじ部材
２２    スペーサ部材
２２Ａ  スペーサ本体
２３    連結部
２４    嵌合凸部
２５    スペーサ側ねじ挿通孔
２６    脚片部
２７    係止爪部（仮止め手段）
３０    スライドガイド溝部
３０ｃ  溝部
３０ｄ  溝部
３０ｅ  溝部
３１    スペーサ部材
３１Ａ  スペーサ本体
３２    連結部
３３    嵌合凸部
３４    スペーサ側ねじ挿通孔
３５    脚片部
３６    スライドガイド
【図１】
2008218288.tif 000003
【図２】
2008218288.tif 000004
【図３】
2008218288.tif 000005
【図４】
2008218288.tif 000006
【図５】
2008218288.tif 000007
【図６】
2008218288.tif 000008
【図７】
2008218288.tif 000009
【図８】
2008218288.tif 000010
【図９】
2008218288.tif 000011
【図１０】
2008218288.tif 000012
【図１１】
2008218288.tif 000013
【図１２】
2008218288.tif 000014
【図１３】
2008218288.tif 000015
【図１４】
2008218288.tif 000016
【図１５】
2008218288.tif 000017
【図１６】
2008218288.tif 000018
【図１７】
2008218288.tif 000019
【図１８】
2008218288.tif 000020
【図１９】
2008218288.tif 000021
【図２０】
2008218288.tif 000022
【図２１】
2008218288.tif 000023
【図２２】
2008218288.tif 000024
【図２３】
2008218288.tif 000025
【図２４】
2008218288.tif 000026
【図２５】
2008218288.tif 000027
【図２６】
2008218288.tif 000028
【図２７】
2008218288.tif 000029
【図２８】
2008218288.tif 000030